(57)【要約】【課題】  下屋の屋根と外壁との間を止水でき、それでいて、下屋屋根のルーフィングの負担を軽くすることができ、しかも、事後的なメンテナンス等を下屋の屋根仕上げ材を取り外さずに行うことができる、下屋の屋根と外壁との間の止水構造を提供する。【解決手段】  下屋の屋根２と外壁１との境界部が、外壁面材１ａの背後を立ち上がる部分３ａと下屋の屋根に沿う部分３ｂとを有する止水板３で止水されており、止水板３の下屋の屋根に沿う部分３ｂが下屋の屋根２の屋根仕上げ材７の上面側に設置されている。【選択図】      図１
2005180053.tif 000002
【特許請求の範囲】
【請求項１】
下屋の屋根と外壁との境界部が、外壁面材よりも背後を立ち上がる部分と下屋の屋根に沿う部分とを有する止水板で止水された、下屋の屋根と外壁との間の止水構造であって、
前記止水板の下屋の屋根に沿う部分が、下屋の屋根の屋根仕上げ材の上面側に設置されていることを特徴とする下屋の屋根と外壁との間の止水構造。
【発明の詳細な説明】
【技術分野】
【０００１】
本発明は、下屋の屋根と外壁との間の止水構造に関する。
【背景技術】
【０００２】
下屋の屋根と外壁との間の止水のため、外壁面材の背面側に沿って立ち上がる部分と下屋の屋根に沿う部分とを有する止水板を用い、この止水板で下屋の屋根と外壁との境界部を止水する構造では、これまで、止水板の下屋の屋根に沿う部分を、ルーフィングよりも上であって屋根仕上げ材よりも下の位置に設置することが行われていた。
【発明の開示】
【発明が解決しようとする課題】
【０００３】
しかしながら、上記のように、止水板の下屋の屋根に沿う部分をルーフィングよりも上であって屋根仕上げ材よりも下の位置に設置すれば、確かに、ルーフィングによって防水が確保されているので、下屋屋根に防水上の問題は一応ないといえるが、その一方で、屋根において、ルーフィングはあくまでも二次的な防水手段であり、この二次防水手段に、下屋の屋根と外壁との間の止水のための一次防水機能を担わせるのは、過度の負担を強いることもあり、下屋屋根の防水計画上、妥当の設計とは言い難がたい場合がある。
【０００４】
また、上記のように、止水板の下屋の屋根に沿う部分をルーフィングよりも上であって屋根仕上げ材よりも下の位置に設置する構造では、事後的に止水板のメンテナンス等を行う場合に、屋根仕上げ材の取外しが必要となってしまうという問題もある。
【０００５】
本発明は、上記のような問題点に鑑み、下屋の屋根と外壁との間を止水でき、それでいて、下屋屋根のルーフィングの負担を軽くすることができ、しかも、事後的なメンテナンス等を下屋の屋根仕上げ材を取り外さずに行うことができる、下屋の屋根と外壁との間の止水構造を提供することを課題とする。
【課題を解決するための手段】
【０００６】
上記の課題は、下屋の屋根と外壁との境界部が、外壁面材よりも背後を立ち上がる部分と下屋の屋根に沿う部分とを有する止水板で止水された、下屋の屋根と外壁との間の止水構造であって、
前記止水板の下屋の屋根に沿う部分が、下屋の屋根の屋根仕上げ材の上面側に設置されていることを特徴とする下屋の屋根と外壁との間の止水構造によって解決される。
【０００７】
この構造では、止水板の下屋の屋根に沿う部分が下屋の屋根の屋根仕上げ材の上面側に設置されているので、止水板で止水された水は、下屋の屋根の側に流れ去ることができて、下屋の屋根と外壁との間をしっかりと止水することができ、それでいて、下屋の屋根では、止水板によって止水された水の一次防水を屋根仕上げ材が行うことで、下屋屋根における二次防水手段であるルーフィングへの防水上の負担を軽くすることができる。
【０００８】
しかも、上記のように、止水板の下屋の屋根に沿う部分が下屋の屋根の屋根仕上げ材の上面側に設置されることで、止水板に対して行われる事後的なメンテナンス等を下屋の屋根仕上げ材を取り外さずに行うことができる。
【発明の効果】
【０００９】
本発明は、以上のとおりのものであるから、下屋の屋根と外壁との間を止水でき、それでいて、下屋屋根の二次防水手段であるルーフィングの負担を軽くすることができ、しかも、事後的なメンテナンス等を下屋の屋根仕上げ材を取り外さずに行うことができる。
【発明を実施するための最良の形態】
【００１０】
次に、本発明の実施最良形態を図面に基づいて説明する。
【００１１】
図１〜図３に示す実施形態の止水構造において、１は建物の外壁、２は建物に付属する下屋の屋根、３はそれらの境界部を止水する止水板である。
【００１２】
外壁１は、窯業系などの外壁面材１ａの背面側に、木や発砲ポリスチレンなどからなる下地材１ｂを介して、鋼製のパネルフレーム１ｃが備えられた外壁パネルで構成されており、外壁面材１ａの下縁部の背面側に備えられている下地材１ｂの背面側には切欠き４が形成され、この切欠き４によって、下地材１ｂとパネルフレーム１ｃとの間に、下方に開放された止水板差込み部５が備えられている。なお、６は胴差である。
【００１３】
下屋の屋根２は、野地板１０の上面側に、二次防水のためのルーフィング８を介して、彩色スレートなどによる屋根仕上げ材７が備えられたもので、外壁１側の上縁部において、屋根仕上げ材７の上面側に、止水板３を止め付けるための下地９が設けられている。
【００１４】
止水板３は、金属板や、金属と樹脂の複合板、樹脂板などからなっていて、外壁面材の背後を立ち上がる部分３ａと、下屋の屋根に沿う部分３ｂとを備えている。そして、この止水板３は、外壁面材の背面側の背後を立ち上がる部分３ａが、外壁面材１ａの背面側に備えられている下地材１ｂとパネルフレーム１ｃとの間に設けられた下向き開放の前記止水板差込み部５に下から差し込まれ、また、下屋の屋根に沿う部分３ｂが、下屋屋根２の屋根仕上げ材７の上面側に設置され、そして、下屋の屋根に沿う部分３ｂが下屋屋根２側の止付け用下地材９に上から止め付けられることで、下屋の屋根２と外壁１との境界部に設置されている。
【００１５】
なお、１１は化粧水切り板であり、その上縁部が、外壁面材１ａの下方に突出する下地材１ｂの正面側に止め付けられて、外壁１と下屋の屋根２との間を隠すように備えられている。
【００１６】
上記の止水構造では、止水板３の下屋の屋根に沿う部分３ｂが下屋の屋根２の屋根仕上げ材７の上面側に設置されているので、止水板３で止水された水は、下屋の屋根２の側に流れ去ることができて、下屋の屋根２と外壁１との間をしっかりと止水することができ、それでいて、下屋の屋根２では、止水板３によって止水された水の一次防水を屋根仕上げ材７が行うことで、下屋屋根２における二次防水手段であるルーフィング８への防水上の負担を軽くすることができる。
【００１７】
しかも、止水板３の下屋の屋根に沿う部分３ｂが、上記のように、下屋の屋根２の屋根仕上げ材７の上面側に設置されていることで、止水板３に対して行われる事後的なメンテナンス等を下屋の屋根仕上げ材７を取り外さずに行うことができ、止水板３のメンテナンス等を容易に行うことができる。
【図面の簡単な説明】
【００１８】
【図１】実施形態の止水構造を示すもので、図２の要部拡大断面側面図である。
【図２】同止水構造を示す断面側面図である。
【図３】化粧水切り板を省略した同止水構造を示す断面斜視図である。
【符号の説明】
【００１９】
１…外壁
１ａ…外壁面材
２…下屋屋根
３…止水板
７…屋根仕上げ材
８…ルーフィング
【図１】
2005180053.tif 000003
【図２】
2005180053.tif 000004
【図３】
2005180053.tif 000005